(57)【要約】      （修正有）【課題】楽器をスタンド上に載置したまま垂直方向に調節することができる楽器用スタンドを提供する。【解決手段】理想的には、楽器の高さを変更する機構は、足で操作できるものとなり、これにより操作者は楽器を演奏しながらスタンドを調節することが可能となる。【選択図】図１
2005173587.tif 000002
【特許請求の範囲】
【請求項１】
調節可能な楽器用スタンドであって、
基部部材と、
該基部部材に接続されると共に、該基部部材からほぼ垂直方向に延び、及び所定の長さを有する、少なくとも１つのスタンド部材と、
該少なくとも１つのスタンド部材に対して垂直方向に調節可能な状態で取り付けられた楽器支持手段と、
該楽器支持手段を前記少なくとも１つのスタンド部材の長さ方向に沿って垂直方向に移動させる手段とを含み、
前記楽器支持手段により楽器を支持することが可能であり、該楽器支持手段から該楽器を取り外すことなく該楽器支持手段を調節することにより該楽器を所望の高さに調節することが可能である、調節可能な楽器用スタンド。
【請求項２】
前記楽器支持手段を移動させる前記手段が電子的な手段である、請求項１に記載の調節可能な楽器用スタンド。
【請求項３】
前記楽器支持手段を移動させる前記手段が油圧式の手段である、請求項１に記載の調節可能な楽器用スタンド。
【請求項４】
前記楽器支持手段を移動させる前記手段が、該調節可能な楽器用スタンドに取り付けられたウィンチと、該ウィンチから前記楽器支持手段へと延びるケーブルとを含み、前記ウィンチが前記ケーブルを巻き取って前記楽器支持手段の高さを調節するよう動作する、請求項２に記載の調節可能な楽器用スタンド。
【請求項５】
前記少なくとも１つのスタンド部材が上端を有し、前記ウィンチが該上端の近傍で前記スタンド部材に取り付けられる、請求項４に記載の調節可能な楽器用スタンド。
【請求項６】
前記少なくとも１つのスタンド部材が下端及び上端を有し、前記ウィンチが前記下端の近傍で前記スタンド部材に取り付けられ、前記上端の近傍にプーリーが取り付けられ、該プーリーが前記ケーブルに係合するよう構成されている、請求項４に記載の調節可能な楽器用スタンド。
【請求項７】
前記楽器支持手段を移動させる前記手段が、モータと、前記少なくとも１つのスタンド部材と平行に延びるネジを有するネジ駆動手段とを含み、前記ネジが前記モータに動作可能な状態で取り付けられ、前記楽器支持手段が前記ネジを受容するよう構成され、前記モータを駆動することにより前記ネジが回転して前記楽器支持手段の高さが調節される、請求項２に記載の調節可能な楽器用スタンド。
【請求項８】
前記楽器支持手段を移動させる前記手段が、ポンプと、第１及び第２の端部を有するピストンとを含み、前記第１の端部が前記楽器支持手段に取り付けられ、前記第２の端部が前記基部部材又は前記少なくとも１つのスタンド部材に取り付けられ、前記ピストンが前記ポンプと連係して動作可能な状態になっており、前記ポンプを駆動することにより前記ピストン内の圧力が変化し該ピストンの長さが変化して、前記楽器支持手段の高さが調節される、請求項３に記載の調節可能な楽器用スタンド。
【請求項９】
前記楽器支持手段を移動させる前記手段が、足で操作することができる制御手段を含む、請求項１に記載の調節可能な楽器用スタンド。
【請求項１０】
調節可能な楽器用スタンドであって、
互いに回動可能な状態で固定され、互いの間に所定の角度を画定するよう構成された、第１及び第２の脚部であって、各脚部が上端及び下端を有し、該上端の各々が、楽器支持手段を支持するよう構成され、前記下端の各々が、ほぼ直立した位置で、該調節可能な楽器用スタンド及び前記楽器支持手段を支持するよう構成されている、第１及び第２の脚部と、
該第１及び第２の脚部間の角度を調節する手段とを含み、
楽器を前記楽器支持手段上で支持することが可能であり、該楽器を該調節可能な楽器用スタンドから取り外すことなく前記楽器支持手段を調節することにより前記楽器を所望の高さに調節することが可能である、調節可能な楽器用スタンド。
【請求項１１】
前記第１及び第２の脚部間の角度を調節する前記手段が電子的な手段である、請求項１０に記載の調節可能な楽器用スタンド。
【請求項１２】
前記第１及び第２の脚部間の角度を調節する前記手段が油圧式の手段である、請求項１０に記載の調節可能な楽器用スタンド。
【請求項１３】
前記第１及び第２の脚部が互いに中間点で回動可能な状態で固定され、該第１及び第２の脚部間の角度を調節する前記手段が、前記中間点と前記上端又は前記下端の何れか一方との間で前記第１の脚部に取り付けられたモータと、該モータに動作可能な状態で取り付けられたネジを有するネジ駆動手段と、該ネジを受容するよう構成され、及び前記中間点と前記上端又は前記下端の何れか一方との間で前記第２の脚部に取り付けられた、受容ブラケット手段とを含み、前記モータを駆動することにより前記ネジが回転して、前記第１及び第２の脚部間の角度が調節され、及び該第１及び第２の脚部の前記上端の高さが調節される、請求項１１に記載の調節可能な楽器用スタンド。
【請求項１４】
前記第１及び第２の脚部が中間点で互いに回動可能な状態で固定され、該第１及び第２の脚部間の角度を調節する前記手段が、ポンプと、第１及び第２の端部を有するピストンとを含み、前記第１の端部が、前記中間点と前記上端又は前記下端の何れか一方との間で前記第１の脚部に取り付けられ、前記第２の端部が、前記中間点と前記上端又は前記下端の何れか一方との間で前記第２の脚部に取り付けられ、前記ピストンが前記ポンプと連係して動作可能な状態になっており、前記ポンプを駆動することにより、前記ピストン内の圧力が変化し該ピストンの長さが変化して、前記第１及び第２の脚部間の角度並びに前記第１及び第２の脚部の前記上端の高さが調節される、請求項１２に記載の調節可能な楽器用スタンド。
【請求項１５】
前記第１及び第２の脚部間の角度を調節する前記手段が、足で操作することができる制御手段を含む、請求項１０に記載の調節可能な楽器用スタンド。
【請求項１６】
調節可能な楽器用スタンドであって、
少なくとも２つの脚部であって、各脚部が、調節可能な高さ、上端、及び下端を有し、該上端の各々が、楽器を支持するよう構成された楽器支持手段を支持するよう構成されており、前記下端の各々が、ほぼ直立した位置で、該調節可能な楽器用スタンド及び前記楽器支持手段を支持するよう構成されている、少なくとも２つの脚部と、
前記少なくとも２つの脚部の高さを調節する手段であって、前記楽器支持手段により楽器を支持することが可能であり、該調節可能な楽器用スタンドから該楽器を取り外すことなく該楽器を所望の高さに調節することが可能である、前記少なくとも２つの脚部の高さを調節する手段と
を含む、調節可能な楽器用スタンド。
【請求項１７】
前記少なくとも２つの脚部の高さを調節する前記手段が、前記少なくとも２つの脚部を同時に移動させる、請求項１６に記載の調節可能な楽器用スタンド。
【請求項１８】
前記少なくとも２つの脚部の高さを調節する前記手段が、足で操作することができる制御手段を含む、請求項１６に記載の調節可能な楽器用スタンド。
【発明の詳細な説明】
【技術分野】
【０００１】
本発明は、主にキーボードその他の水平方向に載置される楽器のためのスタンドの分野に関し、及び楽器が取り付けられたかかるスタンドの調節機能に関するものである。
【背景技術】
【０００２】
様々なタイプの楽器用スタンドが周知であり広く使用されている。典型的には、かかるスタンドは、楽器及び台座を支持する多脚構造体から構成される。スタンドによっては、基部と、上部に楽器が載置されるフレームを保持する及び単一の支持部とから構成される（ピラー構成）。スタンドによっては、高さを調節できるものがある。
【０００３】
スタンドの一例が米国特許第5,467,953号に記載されている。該特許で開示される楽器用スタンドは、基本的に２本の脚部を有しており、各脚部が、床と接触するための一端と楽器を支持するための一端とを有している（Ｘ構成）。それら脚部は、その中間部分で回動可能な状態で連結されており、それらの間の角度を調節することにより楽器の高さが調節される。該調節は、複数の動作位置を有するロックギア機構による制約を受けるものとなる。
【０００４】
かかるスタンドのもう１つの例が、米国特許第5,984,245号に開示されている。該特許は、制御ロッド、バネ、及び２つの位置決めディスクから構成されるアセンブリを位置決め装置として有する、類似したＸ構成の楽器スタンドを教示したものである。該アセンブリは、各脚部上のハンドルバーによって操作され、それに従って該脚部間の角度が調節される。
【発明の開示】
【発明が解決しようとする課題】
【０００５】
これらの設計及びこれまで行われてきた他の設計は、スタンドに楽器を取り付けたまま調節することができるスタンドを提供することができないものであった。
【課題を解決するための手段】
【０００６】
したがって、本発明の主な目的は、楽器用スタンド上に楽器を載置したまま調節することができるように、楽器用スタンドを改良することにある。この目的は、採用されるスタンドのタイプに適した様々な機構によって達成される。理想的には、かかる各機構は足で操作され、これにより操作者は楽器を演奏しつつスタンドを調節することが可能となる。
【０００７】
「Ｘ」構成の２つの脚部を有するスタンドに採用することができるかかる機構の一例として、該２つの脚部の各々に取り付けられると共にそれら脚部を互いに対して近接し又は離間する方向に引っ張るよう構成された動力式ピストンが挙げられる。単一の「ピラー」構成を有するスタンドに採用することができる、かかる機構の別の例として、ピラー調節可能支持部を有し、及びフレームの高さを調節するウィンチ又はそれと同様の駆動装置を有するものが挙げられる。かかる構成は、スタンドから楽器を取り外すことを必要とせず、及び楽器の演奏を止めることを必要とせずに、（おそらくはユーザがキーボードの前で座っている）第１の位置から（ユーザがキーボードの前で立っている）第２の位置へと楽器を移動させることを可能にする。
【０００８】
図面に示す幾つかの実施形態に関連して以下で本発明について解説する。
【０００９】
本発明の更なる目的については、後述することとし、また以下を審理することにより、当業者には明らかとなろう。
【発明を実施するための最良の形態】
【００１０】
図面に関連して本発明を説明することにより、本発明の特徴及び利点は一層明確に理解されよう。
【００１１】
図面に関連して本発明の好適な実施形態について解説する。
【００１２】
本発明は、キーボード楽器と共に使用するために開発されたものである。本発明のスタンドは、図１ないし図６に示すように、幾つかの形態のうちの１つをとるものである。
【００１３】
本発明の第１の実施形態では、図１及び図２に示すようにスタンド10は基部12を含む。該基部12は、中央ポイントから外方へと延びる複数の脚部を含む。該脚部は、平坦でない表面に合わせるよう調節することが可能であり、又は最適な安定性が提供されるようその長さを調節することが可能である。スタンド10はまた、基部12から上方へと延びる少なくとも１つのほぼ垂直なピラー14を含む。
【００１４】
ピラー14上にはキーボード支持部16が支持される。該キーボード支持部16は、上部にキーボード100を取り付けることができる少なくとも１つのほぼ水平な部材を含む。理想的には、安定性のため、キーボード支持部16は、図示のような単一の幅の広い表面を有するべきであり、又はキーボードの演奏時に該キーボードの移動を防止するのに十分な幅だけ隔置された２つ又は３つ以上の水平部材を有するべきである。
【００１５】
キーボード支持部16は、ピラー14に固定されるべきではなく、ピラー14の長さ方向に沿って垂直方向に移動することが可能となるよう該ピラー14上に調節可能な状態で取り付けられるべきである。これは、ピラー14の周囲に係合するカラー18を有するキーボード支持部16を提供することにより達成することができる。移動を容易にするために、カラー18は、ローラ、ボールベアリング、低摩擦材料製のライニング、又は当業界で周知のその他のかかる材料を含むことが可能である。代替的に、ピラー14内のチャンバ（図示せず）内に係合するカラー18にキーボードを取り付けることが可能である。理想的には、この構成において、カラー18は、ピラー14内のチャネルの内側の水平方向の断面輪郭とほぼ等しい、外側の水平方向の断面輪郭を有するべきである。楽器用スタンド10はまた、キーボードをピラー14に沿って垂直方向に移動させる手段を有するべきである。これは、機械式、油圧式、又はその他の手段により提供することが可能である。図示の例では、楽器用スタンドは、電気モータ20、フットスイッチ22、及び垂直方向に配置され雄ネジが形成されたネジ部材24を含む。該ネジ部材24は、カラー18内の雌ネジが形成されたアパーチャ26内に係合するよう構成されている。垂直方向に配置されたネジ部材24は、基本的にピラー14と平行であり、電気モータ20により回転させられる。理想的には、フットスイッチ22は、電気モータ20を起動させてネジ部材24を時計方向又は反時計方向に選択的に回転させる、コントローラを含むものとなる。ネジ部材24が回転する結果として、キーボード支持部16からキーボードを取り外すことなく該キーボードが上昇し又は下降することになる。
【００１６】
使用することができるもう１つの機構は、ウィンチ及びプーリー・システム（図示せず）である。プーリーは、ピラー14の最上部に配設することが可能であり、又はピラー14の内部のチャンバの最上部に配設することが可能である。該機構は、スタンド10の基部に配設されたウィンチと、前記チャンバを通り又は前記ピラーに沿って前記プーリーへと延び及び前記カラー18に向かって下方に延びるケーブルとを含むことが可能である。該ウィンチを起動させると、該ウィンチがカラー18を上方へ引っ張ってキーボードが上昇することになる。ウィンチを解放すると、重力によりキーボードが下方へ引っ張られることが可能となる。代替的に、上部及び下部から選択的にカラー18に対して力を発揮するようにケーブルをカラー18に取り付け、及び該ケーブルを２つの方向の何れかに移動させるようウィンチを構成して、ウィンチを起動させることにより、キーボード支持部16からキーボードを取り外すことなく、該キーボードの高さの制御された調節を行うようにすることが可能である。本発明の更なる実施形態（図示せず）は、ピラーの上部にウィンチを配置して、上記とほぼ同様に動作するものとなる。
【００１７】
図３及び図４に示す本発明の第２の実施形態では、楽器用スタンド10'は、中央ポイント32において回動可能な状態で連結された２つの脚部30を含む。各脚部30は下端及び上端を有する。各脚部の下端は、キーボードスタンド10'を直立した状態に保持するよう構成された水平方向に延びる脚部34を有するべきである。脚部30の上端は、キーボードを支持する手段を含むべきである。かかる手段は、水平方向に延びる脚部を含むことが可能であるが、理想的には、脚部の上端が水平方向のキーボード支持部36と係合すべきである。水平方向のキーボード支持部36は、２つの脚部30の上端に調節可能な状態で取り付けられるべきである。水平方向のキーボード支持部36は、２つの脚部30が該キーボード支持部36の長さ方向に沿って水平方向に移動することが可能となるように該脚部30に取り付けられるべきである。かかる構成により、キーボードを水平位置に維持したままスタンドの上昇及び下降を行うことが可能となる。更に、２つのラックアンドピニオン機構（図示せず）又は当業界で周知の他のかかる機構を使用して、キーボードを該キーボードスタンドに対して中央位置に維持することが可能である。
【００１８】
本発明は更に、２つの脚部30間の角度を調節する手段を含む。これは、脚部30の回動中心点とその上端又は下端との間で該脚部に取り付けられた機械式又は油圧式のアクチュエータから構成することが可能である。図４に示すように、該手段は、第１の脚部に取り付けられた第１の端部40と第２の脚部に取り付けられた第２の端部42とを有する油圧ピストン38から構成される。該油圧ピストン38は、該油圧ピストン38内の圧力を変更することができる油圧ポンプ44に取り付けられる。該ポンプは、理想的にはふっとスイッチ46により起動される。図示のように、ピストン38内の圧力を減じることにより、キーボード支持部36からキーボードを取り外すことなく、脚部30間の角度が小さくなってキーボードが上昇される。
【００１９】
本発明の第３の実施形態は、従来のテーブル型スタンド10"からなる。該スタンド10"は、少なくとも２つの垂直方向に配置された脚部を含む。該脚部は、多数の脚部を配設することにより、又はスタンド10"に安定性を与えるのに十分な大きさの基部を提供する脚部を配設することにより、スタンドに安定性を与えるよう設計されることになる。図示の実施形態では、スタンドは、２つの柱脚型の脚部50を含み、その各々は、該２つの脚部により画定される平面から水平方向外方に延びる基部52を有している。各脚部は、基部に固定される基部セクション54と、該基部セクション54に対して軸方向に調節可能な状態で取り付けられた調節可能セクション56とを含む。該調節可能セクション56は、キーボード100が取り付けられることになるキーボード支持部58に対してそれぞれ固定される。該スタンド10"は、該調節可能な脚部を基部セクションの長さ方向に沿って軸方向に移動させ、その結果としてキーボードを上昇させ又は下降させる、既述のような機構を含む。理想的には、キーボード支持部58の上昇又は下降は、図５に示す電気モータ60により例示するように、フットスイッチ59又はその他の単一の機構の制御による起動によって行われる。好適には、複数の脚部の複数の調節可能セクションは、ダブルラックアンドピニオン機構62又は当業界で周知のチェーンドライブ若しくはそれと同様の装置により、同時に移動される。
【００２０】
上記の本発明の幾つかの実施形態では、キーボードを楽器用スタンドに固定したまま、キーボードの高さを調節することが可能である。高さを調節するためにキーボードを取り外す必要はない。この設計を変更して、調節可能なキーボード支持部が２つ以上のキーボードの上昇及び下降を行うようにすることが可能である。この設計を固定式のキーボード支持部と組み合わせて使用して、所定の数のキーボードの上昇又は下降を可能にすると共に少なくとも１つのキーボードを静止したままにすることも可能である。同様に、２つ以上の調節可能なキーボード支持部を１つのスタンドに取り付けることが可能である。
【００２１】
本発明は、上記で解説し図面に示した厳密な構成に限定されるものではなく、本発明の範囲及び思想から逸脱することなく様々な修正及び変更を加えることが可能である、ということが理解されよう。本発明の範囲は、特許請求の範囲によってのみ制限されることが意図されている。よって、本発明の目的の全てが満たされることが分かる。
【図面の簡単な説明】
【００２２】
【図１】「ピラー」構成における本発明の側面図である。
【図２】「ピラー」構成における本発明の正面図である。
【図３】「Ｘ」構成における本発明の側面図である。
【図４】「Ｘ」構成における本発明の正面図である。
【図５】「テーブル」構成における本発明の側面図である。
【図６】「テーブル」構成における本発明の正面図である。
【図１】
2005173587.tif 000003
【図２】
2005173587.tif 000004
【図３】
2005173587.tif 000005
【図４】
2005173587.tif 000006
【図５】
2005173587.tif 000007
【図６】
2005173587.tif 000008